(57)【要約】      （修正有）【課題】不審者が侵入して来たとき周囲の人に害を加えないよう早めの対応を行うことができる催涙ガス発射装置を装備したサスマタを提供する。【解決手段】催涙ガス発射装置を装備したサスマタは、外ケース１内に手動と自動の催涙ガス発射装置を備える。自動の発射装置は当て板６が作動する事により押し棒が押されボンベ１２よりガスが出る。手動の発射装置は握り手１７からワイヤーカバー補強金具１３をへて、外ケース内のボンベのロック部を解除し、２ｍ〜３ｍ離れて催涙ガスが発射される。又、不審者用ガイド棒１９を開き不審者の侵入に対して準備をして確実に不審者を捕える事に役立つ。【選択図】図１
0003222619.tif 000002
【実用新案登録請求の範囲】
【請求項１】
催涙ガス発射装置を装備したサスマタは、すでに販売されているサスマタの先頭部に２本の催涙ガスボンベを装備し、自動発射と手動発射の装置を外ケ一ス内に備え、自動発射は不審者の身体に、当て板を当てるとボンベより催涙ガスが飛散する装置である。又手動発射は握り手の手元の引き手を引き催涙ガスボンベより追い打ちをかける事ができる装置で、これによりガスが飛散し不審者を拘束する装置。
【請求項２】
自動、手動装置の催涙ガスの発射距離は２ｍ〜３ｍであり、近場の不審者を対象としている。又手動装置を作動させる為外ケ一スから手前２ｍほど離れた握り手より操作する事により催涙ガスが発射され追い打ち用として不審者を拘束することを特徴とする請求項１に記載の装置。
【考案の詳細な説明】
【技術分野】
【０００１】本発明はサスマタの先に２本の催涙ガスボンベを内装した自動手動装置により催涙ガスが発射されるものである。
【背景技術】
【０００２】今まで不審者が現れた時棒又はその他で対応しても、なかなか不審者を取り抑える事が難しく現状のサスマタだけでは対応が無理である。
又不審者が刃物その他の物を持ち侵入しても十分な対応が出来ず負傷者が出る場合があつた。
【先行技術文献】
【特許文献】
【０００３】
【特許文献１】特開２０１２−０２６６９４公報
【考案の概要】
【考案が解決しようとする課題】
【０００４】不審者が現れる場所は、コンビニ、学校、幼稚園、銀行、介護施設、警察、テロ現場、デモ現場、デパ一ト、養護施設、パチンコ店、両替店、等で今日まで使用されたサスマタだけでは問題点が有る。
特開２０１２−０２６６９４公報に記載されている内容では不審者対応という事から問題が残る。
催涙ガス発射装置を装備したサスマタは不審者が侵入し暴れ、騒ぐと手におえない事が有り警察が来る前に被害に合ったり人身事故が発生したりして不審者が逃走したりと問題が多く単に原理的なサスマタでは不具合が生じる。その欠点を解決しようとするものである。
【課題を解決するための手段】
【０００５】  課題を解決するには不審者をいかに身柄拘束し逮捕するか。この発射装置は第１段階では自動装置で催涙ガスを発射し不審者に対処するが、不足の場合は第２段の手動発射も必要である。
この催涙ガスの発射時間は１本４．５秒で２本装備しているものが望ましく、合計で９．０秒である。一度に発射せず断続的に発射出来る装置を内蔵しており、ガスを有効利用し不審者を逮捕し易い。又このガスは非可燃性ガスを使用しており安全である、この考案によって問題点が解決される。
【考案の効果】
【０００６】今回の催涙ガス発射装置を装備したサスマタは刺激性のガスが発射されこのガスは非致死性、後遺症なし、催涙成分は数時間でぬける等を備えている。人身事故を起こす前に不審者はひるみ逃げる事が難しい。
警察の対応がしやすく大変効果は有る。又テロ現場やデモ現場等も集合者をこの催涙ガス発射装置を装備したサスマタで散らす効果が有り、大変効果のある装置である。
【図面の簡単な説明】
【０００７】本装置はサスマタ装置に乗せた催涙ガス発射装置を装備したサスマタの図面である。
【図１】催涙ガス発射装置を装備したサスマタ装置の構造図１Ａに示す、図１Ｂ２１は本装置の全体図である。全面にガス発射装置の当て板６により押し棒３スプリング４を経由して催涙ガスボンベ１２に連動される。又１９は不審者のガイド棒で折りたたみ可能であり１８のガイド棒用クランクに接続している。１５は催涙ガスボンベを手動で作動させるワイヤ一で１６の引き手は１７の取手の中に収容されている。
【図２】不審者が接近した時、手動で作動させる図で１５のワイヤが引かれた時１０の力点を経由して７の作用点を押し３の押し棒を押して１２の催涙ガスボンベが作動し催涙ガスが発射する。又この時スプリング４は押し棒に押され伸びる。
【図３】手動用の引き手をはなすとワイヤ１５がゆるみ４のスプリングが縮み、押し棒３が作動して１２のガスボンベから離れ催涙ガスの発射は停止する。
【図４】不審者に押され自動で作動した時６の押し棒が押され５を経由し３の押し棒を押して１２のガスボンベが作動し催涙ガスが発射される。この時のスプリング４は伸びた状態になる。
【図５】当て板６が不審者から離れた時に４のスプリングが縮小して３の押し棒が催涙ガスボン１２から離れ催涙ガスの噴射は停止する。
【図６】噴射ノズルから出て来る催涙ガス９を不審者の方向に向けるガイドで上面図である。
【図７】催涙ガスボンベ１２に付いている８の噴射ノズルから噴射される９のガスを直角に曲げ侵入者の方向に向けるカバ一２０の断面図。
【図８】先頭部に有る催涙ガス発射装置を装備したサスマタに接続されている手動の操作部、握り手１７内に有るスプリング１４と引き手１６が有る。１６の引き手は１５のワイヤに接続され、このワイヤ一１５はワイヤ一カバ一補強金具１３で保護されている。
【考案を実施するための形態】
【０００８】催涙ガス発射装置を装備したサスマタの内部に催涙ガスボンベ１２が収納されている事を確認し催涙ガスボンベのロック２を開く。
又ガイド棒１９が開く事を確認し侵入者の対応に備える。
【実施例】
【０００９】不審者が侵入して来た時催涙ガス発射装置を装備したサスマタを実施するためには，準備として催涙ガスボンベ製品名ＴＧ２５１０発売元ラムエンタ一プライズ（株）の製品を使い図７のノズル８のロックを解除し作動状態にして置く。又６の不審者用当て板も動作状態にする。これらの状態を確認したあと、自動の当て板６を押しガスが発射する事を確認する。又手動用の引き手１６を引きワイヤ１５、力点１０作用点７押し棒３を経由しガスボンベ１２のロック２を開き発射する事を確認する。【００１０】動作準備が出来た状態で所定の保管場所に格納して置く、この保管場所は不審者対応関係者全員が、取扱説明書を必ず承知し不審者の対応に万全にして置く必要がある。【００１１】実際に不審者が現れた時の対応は、催涙ガス発射装置を装備したサスマタが、まず当て板６が不審者に当たる事で自動発射装置を作動させる。不審者が、ひるまなければ第２段として手動用、手元の引き手を引いて催涙ガスを発射させる。
本技術に用いた催涙ガスボンベは実施したガスボンベには限定されない。
【符号の説明】
【００１２】  １、外ケ一ス
２、催涙ガスボンベのコツク（ロック部）
３、押し棒
４、スプリング
５、当て板との連結棒
６、当て板
７、作用点
８、催涙ガスノズル
９、噴射ガス
１０、力点
１１、支点
１２、催涙ガスボンベ
１３、ワイヤ一カバ一補強金具
１４、握り手内スプリング
１５、ワイヤ一
１６、引き手
１７、握り手
１８、ガイド棒用クランク
１９、不審者用ガイド棒
２０、催涙ガスカバ一
２１、図右Ｂは全体図
【図１】
0003222619.tif 000003
【図２】
0003222619.tif 000004
【図３】
0003222619.tif 000005
【図４】
0003222619.tif 000006
【図５】
0003222619.tif 000007
【図６】
0003222619.tif 000008
【図７】
0003222619.tif 000009
【図８】
0003222619.tif 000010
【手続補正書】
【提出日】令和1年5月29日(2019.5.29)
【手続補正１】
【補正対象書類名】実用新案登録請求の範囲
【補正対象項目名】全文
【補正方法】変更
【補正の内容】
【実用新案登録請求の範囲】
【請求項１】
先頭部に催涙ガスボンベを装備し、自動発射装置と手動発射装置を外ケ一ス内に備えた催涙ガス発射装置を装備したサスマタにおいて自動発射装置は不審者の身体に当て板を当てるとボンベより催涙ガスが飛散し、又手動発射装置は握り手の手元の引き手を引き催涙ガスボンベより催涙ガスを飛散させ不審者を拘束する事を特徴とする催涙ガス発射装置を装備したサスマタ。
【請求項２】
催涙ガスの発射距離は２ｍ〜３ｍであり、握り手は外ケ一スから２ｍほど離れており、これを特徴とする請求項１に記載の催涙ガス発射装置を装備したサスマタ。